(57)【要約】【課題】妨害信号がある場合にも低消費電力な受信装置１００を提供する。【解決手段】この目的を達成するために本発明の受信装置１００は、受信信号が入力されると共に制御部１１４からの制御により増幅度を変化させる増幅部１０５と、増幅部１０５の出力側に接続されて希望波を通過させ妨害波を減衰させると共にアナログ信号をデジタル信号に変換するフィルタ機能付ＡＤ変換部１０６と、増幅部１０５とフィルタ機能付ＡＤ変換部１０６との間に接続されて増幅部１０５から出力された信号の強度を検出する第１検出部１１２と、フィルタ機能付ＡＤ変換部１０６の出力側に接続されてフィルタ機能付ＡＤ変換部１０６から出力された希望波の強度若しくは信号品質を検出する第２検出部１１３とを備え、制御部１１４は、第１検出部１１２による検出と第２検出部１１３による検出の結果、妨害波を検出した場合、増幅部１０５の増幅度を通常時より大きくする制御を行う。【選択図】図１
2009159210.tif 000002
【特許請求の範囲】
【請求項１】
受信信号が入力されると共に制御部からの制御により増幅度を変化させる増幅部と、
前記増幅部の出力側に接続されて希望波を通過させ妨害波を減衰させると共にアナログ信号をデジタル信号に変換するフィルタ機能付ＡＤ変換部と、
前記増幅部と前記フィルタ機能付ＡＤ変換部との間に接続されて前記増幅部から出力された信号の強度を検出する第１検出部と、
前記フィルタ機能付ＡＤ変換部の出力側に接続されて前記フィルタ機能付ＡＤ変換部から出力された希望波の強度若しくは信号品質を検出する第２検出部とを備え、
前記制御部は、前記第１検出部による検出と前記第２検出部による検出の結果、妨害波を検出した場合、前記増幅部の増幅度を通常時より大きくする制御を行う受信装置。
【請求項２】
前記制御部は、前記第１検出部による検出と前記第２検出部による検出の結果、妨害波の強度を判断し、前記妨害波の強度が所定値より大きい場合、前記増幅部の増幅度を通常時より大きくする請求項１に記載の受信装置。
【請求項３】
前記増幅部は利得が高い場合に雑音指数が低くなる請求項１に記載の受信装置。
【請求項４】
信号品質検出回路を備え、前記信号品質検出回路の検出信号により、前記制御をオンオフする請求項１に記載の受信装置。
【請求項５】
ＡＤ変換部のフィルタ特性を制御するフィルタ特性制御回路を備え、前記第１検出部による検出と前記第２検出部による検出の結果、妨害波の強度を判断し、妨害波の強度に基づいて、フィルタ機能付ＡＤ変換部のフィルタ特性を制御する請求項１に記載の受信装置。
【請求項６】
ＡＤ変換部のフィルタ特性を制御するフィルタ制御回路を備え、隣接する妨害波がアナログ放送かデジタル放送かに基づいてフィルタ機能付ＡＤ変換部のフィルタ特性を制御する請求項１に記載の受信装置。
【請求項７】
請求項１に記載の受信装置と、
前記受信装置の出力側に接続された信号処理部と、
前記信号処理部の出力側に接続された表示部とを備えた電子機器。
【発明の詳細な説明】
【技術分野】
【０００１】
本発明は、信号を受信する受信装置と、これを用いた電子機器に関するものである。
【背景技術】
【０００２】
以下、従来のモバイル用テレビなどに用いる受信装置の一例について説明する。従来の受信装置について図９を用いて説明する。図９において、従来の受信装置９００は、アンテナ９０１に接続されて希望波を選択し所定の周波数に変換する混合部９０３と、この混合部９０３に接続されて制御部９１４からの制御により増幅度を変化させる増幅部９０５と、この増幅部９０５の出力側に接続されてアナログ信号をデジタル信号に変換するＡＤ変換部９０６と、このＡＤ変換部９０６に接続されて希望波を通過させ妨害波を減衰させるローパスフィルタ９０７と、このローパスフィルタ９０７の出力側に接続された復調部９０８とを備える。
【０００３】
また、受信装置９００は、増幅部９０５とＡＤ変換部９０６との間に接続されて増幅部９０５から出力された信号の強度を検出する第１検出部９１２と、ローパスフィルタ９０７の出力側に接続されてローパスフィルタ９０７から出力された希望波の強度を検出する第２検出部９１３とを備える。即ち、第２検出部９１３は、妨害波が除去された信号を検出している。そして、受信装置９００は、第２検出部９１３の検出結果に基づいて増幅度の利得を制御している。また、制御部９１４は、第１検出部９１２における検出結果と第２検出部９１３における検出結果とを比較することにより、ＡＤ変換部９０６のサンプリング周波数を制御する。
【０００４】
そして、制御部９１４は、妨害波がある場合にはサンプリング周波数を高く制御し、ＡＤ変換部９０６のダイナミックレンジを上げ、妨害波が無い場合にはサンプリング周波数を低く制御することにより、妨害波が無い場合の消費電力を下げている。
【特許文献１】特表２００１−５２６４８６号公報
【発明の開示】
【発明が解決しようとする課題】
【０００５】
モバイル用テレビになどに於いては、妨害波の無い環境だけでなく、さらに妨害波の有る環境でも受信性能の確保と省電力が同時に求められている。しかしながら、従来の受信装置においては、妨害波が無い場合には、サンプリング周波数を低く保ち低消費電力化を行ない、妨害波がある場合にはサンプリング周波数を高くしＡＤ変換部のダイナミックレンジを上げて妨害特性を改善している。そのため妨害波がある場合にサンプリング周波数を高くするため低消費電力化できないという問題があった。
【０００６】
そこで本発明は、妨害波がある場合にも低消費電力でも高性能な受信装置を提供することを目的とするものである。
【課題を解決するための手段】
【０００７】
この目的を達成するために本発明の受信装置は、受信信号が入力されると共に制御部からの制御により増幅度を変化させる増幅部と、増幅部の出力側に接続されて希望波を通過させ妨害波を減衰させると共にアナログ信号をデジタル信号に変換するフィルタ機能付ＡＤ変換部と、増幅部とフィルタ機能付ＡＤ変換部との間に接続されて増幅部から出力された信号の強度を検出する第１検出部と、フィルタ機能付ＡＤ変換部の出力側に接続されてフィルタ機能付ＡＤ変換部から出力された希望波の強度若しくは信号品質を検出する第２検出部とを備え、制御部は、第１検出部による検出と第２検出部による検出の結果、妨害波を検出した場合、増幅部の増幅度を通常時より大きくする制御を行う。
【発明の効果】
【０００８】
上記制御部の制御により、妨害信号が存在する場合にＡＤ変換部の入力での希望波の強度が確保され、かつ、フィルタ機能付ＡＤ変換部において妨害波を減衰させることができるため、妨害波が存在する場合もＡＤ変換部から出力された信号のＣＮが確保できる。このように、たとえＡＤ変換部のサンプリング周波数を上げなくとも、ＣＮが確保できる為、妨害波の有る場合においても低消費電力な高周波受信装置を提供することができる。
【発明を実施するための最良の形態】
【０００９】
（実施の形態１）
以下、本発明の実施の形態１について図１と図２を用いて説明する。図１は、本発明の実施の形態１による受信装置を備えた電子機器のブロック図である。
【００１０】
図１において、本実施の形態１における受信装置１００を搭載した電子機器は、受信装置１００の入力側に接続されてデジタル変調した信号が入力されるアンテナ１０１と、このアンテナ１０１に接続された低雑音増幅部１０２と、受信装置１００の出力側に接続されたローパスフィルタ１０７と、このローパスフィルタ１０７の出力に接続されたＯＦＤＭ復調を行う復調部１０８と、このＯＦＤＭ復調部１０８の出力に接続されたデコーダ１０９と、このデコーダ１０９の出力に接続された表示部１１０と、デコーダ１０９の出力に接続されたスピーカ１１１とを備える。
【００１１】
また、受信装置１００は、低雑音増幅部１０２の出力に接続された混合部１０３と、この混合部１０３の出力に接続されたローパスフィルタ１０４と、このローパスフィルタ１０４の出力に接続されて制御部からの制御により増幅度を変化させる増幅部１０５と、この増幅部１０５の出力に接続されたフィルタ機能付ＡＤ変換部１０６とを有する。さらに、受信装置１００は、増幅部１０５とフィルタ機能付ＡＤ変換部１０６との間に接続されて増幅部１０５の出力電力を検出する第１検出部１１２と、フィルタ機能付ＡＤ変換部１０６とローパスフィルタ１０７との間に接続されてフィルタ機能付ＡＤ変換部１０６の出力電力を検出する第２検出部１１３と、第１検出部１１２の出力と第２検出部１１３の出力に接続され、増幅部１０５の利得を制御する制御部１１４とを備える。
【００１２】
次に、図２を用いて、制御部１１４について説明する。図２は、図１で使用される制御部１１４のブロック図である。制御部１１４は、第１検出部１１２の出力と第２検出部１１３の出力に接続される比較器２０１と、この比較器２０１の出力と第１検出部１１２の出力に接続される加算器２０２とで構成される。この加算器２０２の出力は増幅部１０５に接続される。
【００１３】
このように構成された受信装置１００において、例えば、希望波のみが増幅部１０５に入力された場合、第１検出部１１２で検出される電力と第２検出部１１３で検出される電力は等しく、制御部１１４の内部にある比較器２０１の出力はゼロとなる。その結果、増幅部１０５は、第１検出部１１２で検出した電力によって制御される。ここで、フィルタ機能付ＡＤ変換部１０６の入力レベルが上限を超えないように、増幅部１０５の利得は一定のレベルに保たれる。
【００１４】
一方、希望波と希望波より大きい強度の妨害波が増幅部１０５へ入力された場合、第２検出部１１３で検出される電力は、妨害波がフィルタ機能付ＡＤ変換部で減衰された分だけ第１検出部１１２で検出される電力より小さくなり、制御部１１４の内部にある比較器２０１の出力は第１検出部１１２と第２検出部１１３とで検出された電力の差に応じた出力になる。即ち、制御部１１４は、第１検出部１１２のみで制御部１１４が増幅部１０５の利得を制御する場合よりも、第１検出部１１２で検出された電力と第２検出部１１３で検出された電力の差分だけ大きい利得に増幅部１０５を制御する。フィルタ機能付ＡＤ変換部１０６の妨害波に対する上限入力レベルは希望波よりも大きいため、上記のような制御を行っても、フィルタ機能付ＡＤ変換部１０６の線形性は保たれる。
【００１５】
上記のような制御を行うことによって、フィルタ機能付ＡＤ変換部１０６に入力する希望波レベルを大きくすることができ、フィルタ機能付ＡＤ変換部１０６で発生する量子化ノイズによるＣＮの劣化を抑制することができる。
【００１６】
次に、フィルタ機能付ＡＤ変換部１０６を用いる場合とフィルタ機能を有さないＡＤ変換部を用いる場合において、ＣＮの比較を数式によって表す。ここで、増幅部１０５への希望波入力レベルをＳ、入力熱雑音をＮT、増幅部１０５の増幅度をa1、雑音指数をＮＦ1とし、またフィルタ機能を有さないＡＤ変換部で発生する量子化ノイズをＮQとする。フィルタ機能を有さないＡＤ変換部を用いる場合のＣＮ1は（数１）のように表される。
【００１７】
【数１】
2009159210.tif 000003
【００１８】
一方、本発明のフィルタ機能付ＡＤ変換部１０６を用いた場合において、増幅部１０５の増幅度をａ2（ａ1＜ａ2）、雑音指数をＮＦ2とし、フィルタ機能付ＡＤ変換部１０６で発生する量子化ノイズをＮQすると、ＣＮ2は（数２）のように表される。
【００１９】
【数２】
2009159210.tif 000004
【００２０】
増幅部１０５は増幅度ａが高い時、雑音指数ＮＦが小さくなる。従ってa2＞a1であり、かつＮＦ2＜ＮＦ1であるため、ＮＦ2／ａ2＜ＮＦ1／ａ1となる。またＮＱ／ａ2＜ＮＱ／ａ1となる。以上よりＣＮ2＞ＣＮ1となりフィルタ機能付ＡＤ変換部１０６を用いる方が、フィルタ機能を有さないＡＤ変換部を用いる場合より、量子化ノイズに対するＣＮが良いことがわかる。このことは大きな妨害波が存在する電波環境において、同じ妨害波特性を達成するのに必要とされるＡＤ変換部のダイナミックレンジが、フィルタ機能付ＡＤ変換部１０６の方がフィルタ機能を有さないＡＤ変換部より小さいことを示している。つまり、フィルタ機能付ＡＤ変換部１０６を用いることによって、大きな妨害波が存在する場合においてもサンプリング周波数を上げる必要がなく低消費電力である受信装置を提供することができる。
【００２１】
（実施の形態２）
以下、本発明の実施の形態２について図３と図４を用いて説明する。図３は、本発明の実施の形態２による受信装置を備えた電子機器のブロック図である。
【００２２】
図３において、本実施の形態２における受信装置３００を搭載した電子機器は、受信装置３００の入力側に接続されてデジタル変調した信号が入力されるアンテナ３０１と、このアンテナ３０１に接続された低雑音増幅部３０２と、受信装置３００の出力側に接続されたローパスフィルタ３０７と、このローパスフィルタ３０７の出力に接続されたＯＦＤＭ復調部３０８と、このＯＦＤＭ復調部３０８の出力に接続されたデコーダ３０９と、このデコーダ３０９の出力に接続された表示部３１０と、デコーダ３０９の出力に接続されたスピーカ３１１とを備える。さらに、本実施の形態２における受信装置３００を搭載した電子機器は、ＯＦＤＭ復調部３０８と接続されたＳＮ等により信号品質を検出する信号品質検出回路３１５を備え、信号品質検出回路３１５の出力は受信装置３００に接続される。また、受信装置３００は、低雑音増幅部３０２の出力に接続された混合部３０３と、この混合部３０３の出力に接続されたローパスフィルタ３０４と、このローパスフィルタ３０４の出力に接続されて制御部からの制御により増幅度を変化させる増幅部３０５と、この増幅部３０５の出力に接続されたフィルタ機能付ＡＤ変換部３０６とを有する。さらに、受信装置３００は、増幅部３０５とフィルタ機能付ＡＤ変換部３０６との間に接続されて増幅部３０５の出力電力を検出する第１検出部３１２と、フィルタ機能付ＡＤ変換部３０６とローパスフィルタ３０７との間に接続されてフィルタ機能付ＡＤ変換部３０６の出力電力を検出する第２検出部３１３と、第１検出部３１２の出力と第２検出部３１３の出力と信号品質検出回路３１５の出力に接続され、増幅部３０５の利得を制御する制御部３１４とを備える。また、制御部３１４は増幅部３０５と接続され、増幅部３０５の電流を制御する。また、制御部３１４はフィルタ機能付ＡＤ変換部３０６と接続され、フィルタ機能付きＡＤ変換部３０６のサンプリング周波数を制御する。
【００２３】
次に、図４を用いて、制御部３１４について説明する。図４は、図３で使用される制御部３１４のブロック図である。制御部３１４は、第１検出部３１２の出力と第２検出部３１３の出力に接続される比較器４０１と、この比較器４０１の出力に接続されるスイッチ４０３とこのスイッチ４０３の出力と第１検出部３１２の出力に接続される加算器４０２と、信号品質検出回路３１５の出力に接続され、さらに所定のしきい値が入力される比較器４０４と、この比較器４０４の出力に接続されたスイッチ４０３で構成される。加算器４０２の出力は増幅部３０５に接続される。また、比較器４０４の出力は増幅部３０５とフィルタ機能付ＡＤ変換部３０６に接続される。
【００２４】
このように構成された受信装置３００において、例えば、希望波と希望波より大きい強度の妨害波が増幅部３０５へ入力された場合、第２検出部３１３で検出される電力は、妨害波がフィルタ機能付ＡＤ変換部で減衰された分だけ第１検出部３１２で検出される電力より小さくなり、制御部３１４の内部にある比較器４０１の出力は第１検出部３１２と第２検出部３１３とで検出された電力の差に応じた出力になる。即ち、第１検出部３１２のみで制御部３１４が増幅部３０５の利得を制御する場合よりも、第１検出部３１２で検出された電力と第２検出部３１３で検出された電力の差分だけ大きい利得に増幅部３０５を制御する。フィルタ機能付ＡＤ変換部３０６の妨害波に対する上限入力レベルは希望波よりも大きいため、上記のような制御を行っても、フィルタ機能付ＡＤ変換部３０６の線形性は保たれる。このような動作中において、信号品質検出回路３１５が十分ＳＮが大きいと判断した場合、比較器４０４には、しきい値より大きい電圧が信号品質検出回路３１５より入力され、比較器４０４から、スイッチ４０３をオンからオフにする制御信号を出力させる。加算器４０２には第１検出部３１２の出力のみが入力され、制御部３１４は増幅部３０５の利得を下げるような制御を行う。このように線形性を悪くしても良いため増幅部３０５の電流を下げるとともにサンプリング周波数を下げることが可能になる。そのため受信装置３００の低消費電力化が可能となる。
【００２５】
（実施の形態３）
以下、本発明の実施の形態３について図５と図６を用いて説明する。図５は、本発明の実施の形態３による受信装置を備えた電子機器のブロック図である。
【００２６】
図５において、本実施の形態３における受信装置５００を搭載した電子機器は、受信装置５００の入力側に接続されてデジタル変調した信号が入力されるアンテナ５０１と、このアンテナ５０１に接続された低雑音増幅部５０２と、受信装置５００の出力側に接続されたローパスフィルタ５０７と、このローパスフィルタ５０７の出力に接続された復調部５０８と、この復調部５０８の出力に接続されたデコーダ５０９と、このデコーダ５０９の出力に接続された表示部５１０と、デコーダ５０９の出力に接続されたスピーカ５１１とを備える。
【００２７】
また、受信装置５００は、低雑音増幅部５０２の出力に接続された混合部５０３と、この混合部５０３の出力に接続されたローパスフィルタ５０４と、このローパスフィルタ５０４の出力に接続されて制御部からの制御により増幅度を変化させる増幅部５０５と、この増幅部５０５の出力に接続されたフィルタ機能付ＡＤ変換部５０６とを有する。さらに、受信装置５００は、増幅部５０５とフィルタ機能付ＡＤ変換部５０６との間に接続されて増幅部５０５の出力電力を検出する第１検出部５１２と、フィルタ機能付ＡＤ変換部５０６とローパスフィルタ５０７との間に接続されてフィルタ機能付ＡＤ変換部５０６の出力電力を検出する第２検出部５１３と、第１検出部５１２の出力と第２検出部５１３の出力に接続され、増幅部５０５の利得を制御する制御部５１４とを備える。さらに、受信装置５００は制御部５１４の出力に接続されたフィルタ特性制御部５１７を有し、フィルタ特性制御部５１７の出力はフィルタ機能付ＡＤ変換部５０６に接続される。
【００２８】
このように構成された受信装置５００において、例えば、図６（ａ）に示すような、希望波と希望波より大きい強度のアナログ妨害波が増幅部５０５へ入力された場合、第２検出部５１３で検出される電力は、妨害波がフィルタ機能付ＡＤ変換部５０６で減衰された分だけ第１検出部５１２で検出される電力より小さくなる。また、制御部５１４は第１検出部５１２と第２検出部５１３で検出される電力の差をフィルタ特性制御部５１７へ伝達し、フィルタ特性制御部５１７は所定の値より第１検出部５１２と第２検出部５１３で検出される電力に差がある場合、フィルタ機能付ＡＤ変換部５０６の通過特性を図６（ｂ）のように、ノッチを持った特性に切り替え、帯域内偏差は大きいがアナログ妨害波を大きく減衰させるような制御を行う。
【００２９】
一方、図６（ｃ）に示すように、希望波と希望波より小さい強度のアナログ妨害波が増幅部５０５へ入力された場合、第２検出部５１３で検出される電力と第１検出部５１２で検出される電力の差は等しい。また、制御部５１４は第１検出部５１２と第２検出部５１３で検出される電力の差をフィルタ特性制御部５１７へ伝達し、フィルタ特性制御部５１７は所定の値より第１検出部５１２と第２検出部５１３で検出される電力の差が等しい場合、フィルタ機能付ＡＤ変換部５０６の通過特性を図６（ｄ）のように、アナログ妨害波の減衰量は小さいが、帯域内偏差を小さくする特性に切り替える制御を行う。アナログ妨害波が受信性能に対して支配的な時とアナログ妨害波が受信性能で支配的でない時において、フィルタ特性を変えることにより、低消費電力かつ高性能な受信装置を提供することができる。
【００３０】
なお、フィルタ機能付ＡＤ変換部５０６は、図６（ｂ）のような通過特性を持つ回路と、図６（ｄ）のような通過特性を持つ回路の２系統を有していなければならない。また、フィルタ機能付ＡＤ変換部５０６がΔΣ型の場合、内部の係数を変化させることによって、フィルタ特性を切り替えることも可能である。
【００３１】
（実施の形態４）
以下、本発明の実施の形態４について図７と図８を用いて説明する。図７は、本発明の実施の形態４による受信装置を備えた電子機器のブロック図である。
【００３２】
図７において、本実施の形態４における受信装置７００を搭載した電子機器は、受信装置７００の入力側に接続されてデジタル変調した信号が入力されるアンテナ７０１と、このアンテナ７０１に接続された低雑音増幅部７０２と、受信装置７００の出力側に接続されたローパスフィルタ７０７と、このローパスフィルタ７０７の出力に接続された復調部７０８と、この復調部７０８の出力に接続されたデコーダ７０９と、このデコーダ７０９の出力に接続された表示部７１０と、デコーダ７０９の出力に接続されたスピーカ７１１とを備える。本実施の形態４における受信装置７００を搭載した電子機器はチャネル情報部７１８を備え、チャネル情報部７１８の出力は受信装置７００に接続される。
【００３３】
また、受信装置７００は、低雑音増幅部７０２の出力に接続された混合部７０３と、この混合部７０３の出力に接続されたローパスフィルタ７０４と、このローパスフィルタ７０４の出力に接続されて制御部からの制御により増幅度を変化させる増幅部７０５と、この増幅部７０５の出力に接続されたフィルタ機能付ＡＤ変換部７０６とを有する。さらに、受信装置７００は、増幅部７０５とフィルタ機能付ＡＤ変換部７０６との間に接続されて増幅部７０５の出力電力を検出する第１検出部７１２と、フィルタ機能付ＡＤ変換部７０６とローパスフィルタ７０７との間に接続されてフィルタ機能付ＡＤ変換部７０６の出力電力を検出する第２検出部７１３と、第１検出部７１２の出力と第２検出部７１３の出力に接続され、増幅部７０５の利得を制御する制御部７１４とを備える。さらに、受信装置７００はチャネル情報部７１８の出力と制御部７１４の出力に接続されたフィルタ特性制御部７１７を有し、フィルタ特性制御部７１７の出力はフィルタ機能付ＡＤ変換部７０６に接続される。
【００３４】
このように構成された受信装置７００において、例えば、図８（ａ）に示すように、希望波と希望波より大きい強度のアナログ妨害波が増幅部７０５へ入力された場合、第２検出部７１３で検出される電力は、妨害波がフィルタ機能付ＡＤ変換部７０６で減衰された分だけ第１検出部７１２で検出される電力より小さくなる。また、制御部７１４は第１検出部７１２と第２検出部７１３で検出される電力の差をフィルタ特性制御部７１７へ伝達し、また、チャネル情報部７１８は隣接チャンネルがアナログ放送であるとの情報をフィルタ特性制御部７１７へ伝達する。フィルタ特性制御部７１７は所定の値より第１検出部７１２と第２検出部７１３で検出される電力の差がある場合、フィルタ機能付ＡＤ変換部７０６の通過特性を図８（ｂ）のように、ノッチを持った特性に切り替え、帯域内偏差は大きいがアナログ妨害波を大きく減衰させるような制御を行う。
【００３５】
一方、図８（ｃ）に示すように、希望波と希望波より大きい強度のデジタル妨害波が増幅部７０５へ入力された場合、第２検出部７１３で検出される電力は、妨害波がフィルタ機能付ＡＤ変換部７０６で減衰された分だけ第１検出部７１２で検出される電力より小さくなる。また、制御部７１４は第１検出部７１２と第２検出部７１３で検出される電力の差をフィルタ特性制御部７１７へ伝達し、また、チャネル情報部７１８は隣接チャンネルがデジタル放送であるとの情報をフィルタ特性制御部７１７へ伝達する。フィルタ特性制御部７１７は所定の値より第１検出部７１２と第２検出部７１３で検出される電力の差がある場合、フィルタ機能付ＡＤ変換部７０６の通過特性を図８（ｄ）のように、広帯域で減衰させる特性に切り替え、デジタル妨害を大きく減衰させ、かつ域内偏差が小さくなるように制御を行う。
【産業上の利用可能性】
【００３６】
この様にチャネル情報に基づいて隣接チャネルがデジタル放送かアナログ放送かでフィルタの特性を変えることにより低消費電力かつ高性能な受信装置を提供することができる。
【図面の簡単な説明】
【００３７】
【図１】本実施の形態１における受信装置を備えた電子機器のブロック図
【図２】同、制御部のブロック図
【図３】本実施の形態２における受信装置を備えた電子機器のブロック図
【図４】同、制御部のブロック図
【図５】本実施の形態３における受信装置を備えた電子機器のブロック図
【図６】（ａ）から（ｄ）は、同、入力信号のスペクトラム図およびＡＤ変換部の周波数特性図
【図７】本実施の形態４における受信装置を備えた電子機器のブロック図
【図８】（ａ）から（ｄ）は、同、入力信号のスペクトラム図およびＡＤ変換部の周波数特性図
【図９】従来の受信装置を備えた電子機器のブロック図
【符号の説明】
【００３８】
１００  受信装置
１０１  アンテナ
１０２  低雑音増幅部
１０３  混合部
１０４  ローパスフィルタ
１０５  増幅部
１０６  フィルタ機能付ＡＤ変換部
１０７  ローパスフィルタ
１０８  ＯＦＤＭ復調部
１０９  デコーダ
１１０  表示部
１１１  スピーカ
１１２  第１検出部
１１３  第２検出部
１１４  制御部
【図１】
2009159210.tif 000005
【図２】
2009159210.tif 000006
【図３】
2009159210.tif 000007
【図４】
2009159210.tif 000008
【図５】
2009159210.tif 000009
【図６】
2009159210.tif 000010
【図７】
2009159210.tif 000011
【図８】
2009159210.tif 000012
【図９】
2009159210.tif 000013